(57)【要約】【課題】小型で移動・設置が簡単であって、電気器具を簡単に着脱可能なミニパワーステーションを提供する。【解決手段】持ち運び可能で電源Ｂが内蔵された支柱部１と、その支柱部１に対し、軸線が略直交する二本のヒンジ軸回りに各々回動可能とする二軸ヒンジ３を介して結合され、電気器具６を装着可能な電気器具装着部４と、その電気器具装着部４に設けられ、電気器具６の電源及び制御信号入力端子７を着脱可能な電源及び制御信号供給端子５と、を備えるミニパワーステーション。さらに、電源及び制御信号供給端子５に電源及び制御信号入力端子７が接続されていて、電気器具装着部４に装着された電気器具６を備える。具体的には、電気器具装着部４は支柱部１の上端部周囲に複数備えられていて、電気器具は照明器具６で、電源は蓄電池Ｂである。【選択図】図１
2018073604.tif 000002
【特許請求の範囲】
【請求項１】
持ち運び可能で電源が内蔵された支柱部と、
前記支柱部に対し、軸線が略直交する二本のヒンジ軸回りに各々回動可能とする二軸ヒンジを介して結合され、電気器具を装着可能な電気器具装着部と、
前記電気器具装着部に設けられ、前記電気器具の電源及び制御信号入力端子を着脱可能な電源及び制御信号供給端子と、
を備えることを特徴とするミニパワーステーション。
【請求項２】
前記電源及び制御信号供給端子に前記電源及び制御信号入力端子が接続されていて、前記電気器具装着部に装着された前記電気器具を備えることを特徴とする請求項１に記載のミニパワーステーション。
【請求項３】
前記電気器具装着部は、前記支柱部の上端部周囲に複数備えられることを特徴とする請求項１または２に記載のミニパワーステーション。
【請求項４】
前記電気器具は照明器具であることを特徴とする請求項１から３のいずれか一項に記載のミニパワーステーション。
【請求項５】
前記電源は蓄電池であることを特徴とする請求項１から４のいずれか一項に記載のミニパワーステーション。
【請求項６】
前記電気器具には、
前記電気器具装着部に対する前記電気器具の装着状態をロック状態に保持するロック機構と、
前記ロック状態の保持を解除するロック解除ボタンと、が備えられることを特徴とする請求項２から５のいずれか一項に記載のミニパワーステーション。
【発明の詳細な説明】
【技術分野】
【０００１】
本発明は、小型で移動・設置が簡単なミニパワーステーションに関する。
【背景技術】
【０００２】
特許文献１において、歩行用杖等の棒状部分に接続された回動部に接続した本体部に内蔵された電源部と、本体部に配設された照明部と、を備える照明具が提案されている。
【先行技術文献】
【特許文献】
【０００３】
【特許文献１】特許第５９０９５５６号公報
【発明の概要】
【発明が解決しようとする課題】
【０００４】
しかしながら、特許文献１の照明具は、電源部が内蔵された本体部に対し照明部を着脱することは不可能であった。
【０００５】
本発明の課題は、小型で移動・設置が簡単であって、電気器具を簡単に着脱可能なミニパワーステーションを提供することである。
【課題を解決するための手段】
【０００６】
以上の課題を解決するため、請求項１に記載の発明は、
持ち運び可能で電源が内蔵された支柱部と、
前記支柱部に対し、軸線が略直交する二本のヒンジ軸回りに各々回動可能とする二軸ヒンジを介して結合され、電気器具を装着可能な電気器具装着部と、
前記電気器具装着部に設けられ、前記電気器具の電源及び制御信号入力端子を着脱可能な電源及び制御信号供給端子と、
を備えるミニパワーステーションを特徴とする。
【０００７】
請求項２に記載の発明は、
請求項１に記載のミニパワーステーションであって、
前記電源及び制御信号供給端子に前記電源及び制御信号入力端子が接続されていて、前記電気器具装着部に装着された前記電気器具を備えることを特徴とする。
【０００８】
請求項３に記載の発明は、
請求項１または２に記載のミニパワーステーションであって、
前記電気器具装着部は、前記支柱部の上端部周囲に複数備えられることを特徴とする。
【０００９】
請求項４に記載の発明は、
請求項１から３のいずれか一項に記載のミニパワーステーションであって、
前記電気器具は照明器具であることを特徴とする。
【００１０】
請求項５に記載の発明は、
請求項１から４のいずれか一項に記載のミニパワーステーションであって、
前記電源は蓄電池であることを特徴とする。
【００１１】
請求項６に記載の発明は、
請求項２から５のいずれか一項に記載のミニパワーステーションであって、
前記電気器具には、
前記電気器具装着部に対する前記電気器具の装着状態をロック状態に保持するロック機構と、
前記ロック状態の保持を解除するロック解除ボタンと、が備えられることを特徴とする。
【発明の効果】
【００１２】
本発明によれば、小型で移動・設置が簡単であって、電気器具を簡単に着脱可能なミニパワーステーションを提供することができる。
【図面の簡単な説明】
【００１３】
【図１】本発明を適用したミニパワーステーションの一実施形態の構成を示すもので、支柱部を立てて電気器具装着部に装着した電気器具の展開状態を示した斜視図である。
【図２】図１のミニパワーステーションの電気器具折り畳み状態を示した図である。
【図３】図２のミニパワーステーションの側面図である。
【図４】図３のミニパワーステーションの上面図である。
【図５】図１のミニパワーステーションの側面図である。
【図６】図１の上蓋部の上ケースを外した要部拡大図である。
【図７】図１の電気器具を外して電気器具装着部の電源及び制御信号供給端子部分を拡大した図である。
【図８】図１の電気器具の電源及び制御信号供給端子部分を拡大した要部斜視図である。
【図９】図１の電気器具を上方に向けた状態を示した図である。
【発明を実施するための形態】
【００１４】
以下、図を参照して本発明を実施するための形態を詳細に説明する。
（実施形態）
図１から図５は本発明を適用したミニパワーステーションの一実施形態の構成を示すもので、１は支柱部、２は上蓋部、３は二軸ヒンジ、４は電気器具装着部、６は電気器具である。
【００１５】
ミニパワーステーションは、図示のように、支柱部１と、その上蓋部２と、その周囲四辺部の二軸ヒンジ３と、その二軸ヒンジ３に結合した電気器具装着部４と、その電気器具装着部４に装着される電気器具であるＬＥＤ照明器具６とから構成されている。
そして、支柱部１の上蓋部２の周囲に二軸ヒンジ３を介して取り付けられた電気器具装着部４の端面に雌型の電源及び制御信号供給端子５（図７参照）が設けられている。
また、ＬＥＤ照明器具６には、その基端部端面に雄型の電源及び制御信号入力端子７（図８参照）が設けられており、この電源及び制御信号入力端子７を電源及び制御信号供給端子５に挿入することで、電気器具装着部４にＬＥＤ照明器具６が装着状態となる。
【００１６】
支柱部１は、電源として蓄電池Ｂを四個重ねて内蔵した持ち運び可能な大きさ及び重量のもので、特に、軽量化と強度を具備するためにアルミ等の金属製であって、その下端部に起立設置状態での安定性のために金属製の大径フランジ部材による台座１１が取り付けられている。
この支柱部１の上端部に取り付けられる上蓋部２の周囲四辺部に、図６に示すように、軸線が直交する二本の第一ヒンジ軸３ａ及び第二ヒンジ軸３ｂの回りに各々回動可能とする二軸ヒンジ３を介して電気器具装着部４がそれぞれ取り付けられている。
すなわち、支柱部１の上蓋部２の周囲一辺部に対し、二軸ヒンジ３を第一ヒンジ軸３ａで回動可能に結合して、二軸ヒンジ３の第二ヒンジ軸３ｂを電気器具装着部４の基端部に回動可能に結合する。
【００１７】
従って、支柱部１の上蓋部２の周囲一辺部に対し電気器具装着部４が、二軸ヒンジ３の軸線が水平な第一ヒンジ軸３ａを中心に略１８０度の範囲で回動可能（傾動可能）で、第一ヒンジ軸３ａと軸線が直交する第二ヒンジ軸３ｂを中心に略３６０度回動可能（回転可能）となっている。
なお、上蓋部２は、アルミ等の金属製の上ケース２ａ及び下ケース２ｂをネジ止め密着結合して構成されている。
【００１８】
図６は図１の上蓋部２の上ケース２ａを外して下ケース２ｂを含む要部を拡大したもので、下ケース２ｂには、図示のように、雄型の電源供給端子２１が設けられている。
この電源供給端子２１は、支柱部１に重ねて内蔵した四個の蓄電池Ｂからの配線が並列に配置された五ピンを備え、すなわち、主に電力パワーの端子になるアース（−）一本と陽極（+）四本の五ピンで構成されている。
【００１９】
さらに、下ケース２ｂには、図示しない制御基板が配置されている。その制御基板には、下ケース２ｂの周囲四辺部から外方に各々導出される図示しない四つの電源及び制御用配線がそれぞれ接続されている。
その四つの電源及び制御用配線の各々は、四個の蓄電池Ｂの個々にそれぞれ対応する。
【００２０】
そして、２軸ヒンジ３の第一ヒンジ軸３ａ及び第二ヒンジ軸３ｂを保持するヒンジケース３ｃには、第二ヒンジ軸３ｂと反対側の中央部に配線通し用開口部３ｄが形成されている。
この配線通し用開口部３ｄから第二ヒンジ軸３ｂの軸貫通孔内に、前記制御基板から導出された前記電源及び制御用配線を通して、その電源及び制御用配線が電気器具装着部４の内部で電源及び制御信号供給端子５に接続されている。
【００２１】
また、上蓋部２の上ケース２ａには、図示しない吊り用フックを取り付けるための中央のネジ穴２２と、前記制御基板に接続されたメインスイッチ２３と、デジタル表示によるバッテリ残量インジケータ２４が設けられている。
【００２２】
そして、電気器具装着部４には、図７に拡大して示すように、外側の差し込み部４ａの端面に形成された突出部４ｂから窪んだ状態の４つのリング状の電源及び制御信号供給端子５を備えている。この電源及び制御信号供給端子５は、アース（−）一本と陽極（+）一本の電源用と制御系（情報系）二本の四ピンに対応した計四本で構成されている。
また、電気器具装着部４端面の突出部４ｂ周囲には防水パッキン４１が取り付けられている。
なお、電源及び制御信号供給端子５は、使用する電気器具の規格に対応してＤＣ２４Ｖ、ＤＣ１２Ｖ、ＤＣ５Ｖ等が用意される。
【００２３】
また、ＬＥＤ照明器具６は、図８に拡大して示すように、基端部端面に開口する差し込み穴６ａの底部に形成された窪み部６ｂ内に突出した状態の四つのピン状の電源及び制御信号入力端子７を備えている。この電源及び制御信号入力端子７は、電源及び制御信号供給端子５の構成及び規格に対応した四ピンで構成されている。
なお、四ピンに限らず、制御によっては五ピン以上で九ピンまで対応可能である。
【００２４】
さらに、ＬＥＤ照明器具６には、その一面にＬＥＤ照明６１が設けられて、基端部表裏面にロック解除ボタン６２が設けられる一方、先端部端面にオンオフスイッチ６３が設けられるとともに、略コ字状に突出する取っ手６４が設けられている。
また、ＬＥＤ照明器具６の基端部の差し込み穴６ａには、電気器具装着部４の差し込み部４ａを挿入してロック状態に保持する不図示のロック機構が内蔵されている。
そのロック機構は、差し込み部４ａを差し込み穴６ａに差し込むとロック状態に保持するロック状態保持機能と、ロック解除ボタン６２を押すと、差し込み穴６ａに差し込まれた差し込み部４ａに対するロック状態を解除するロック解除機能を具備するもので、構成は任意である。
【００２５】
図９は図１のＬＥＤ照明器具６を上方に向けた状態を示したものである。
【００２６】
以上の構成によるミニパワーステーションは、ＬＥＤ照明器具６を使用する際において、支柱部１の上蓋部２の十字方向に備える四個の電気器具装着部４の差し込み部４ａを、四個のＬＥＤ照明器具６の差し込み穴６ａに差し込む。
これにより、差し込み穴６ａ内の窪み部６ｂに、差し込み部４ａ端面の突出部４ｂが挿入されると同時に、窪み部６ｂ内の電源及び制御信号入力端子７の四本のピンが、差し込み部４ａ端面の突出部４ｂ端面の電源及び制御信号供給端子５のリングに挿入される。
そして、突出部４ｂと窪み部６ｂとの間が防水パッキン４１により防水状態になると同時に、前記ロック機構により、差し込み穴６ａに差し込み部４ａがロック状態となる。
【００２７】
次に、以上のミニパワーステーションの使用形態について説明する。
【００２８】
例えば図２から図４に示すように、四枚のＬＥＤ照明器具６を各々の二軸ヒンジ３により支柱部１に沿ってそれぞれ折り畳んだ状態で、図示しないリックサックやバッグや容器等に収納して簡単に持ち運ぶことができる。
また、四枚のＬＥＤ照明器具６を取り外して、支柱部１と一緒または別に持ち運ぶこともできる。
【００２９】
そして、目的の現場等において、支柱部１を下端部の台座１１で安定した起立設置状態にして、取っ手６４を掴んで四枚のＬＥＤ照明器具６を各々の二軸ヒンジ３によりそれぞれ回転することで、各々のＬＥＤ照明６１をそれぞれ外側に向けた状態にすることができる。
この状態で、各々のＬＥＤ照明器具６の先端部端面のオンオフスイッチ６３は予めオンに操作しておく。
【００３０】
次に、上蓋部２のメインスイッチ２３を１回押すと、ＬＥＤ照明６１が全点灯する。
また、メインスイッチ２３を２回押すと、ＬＥＤ照明６１が半分点灯する。
そして、メインスイッチ２３を３回押すと、ＬＥＤ照明６１が消灯したりフラッシュ点灯したりする。
その点灯制御は任意に設定可能である。
【００３１】
また、図１及び図５に示すように、取っ手６４を掴んでＬＥＤ照明器具６を二軸ヒンジ３により起こすことで、支柱部１に対し四枚のＬＥＤ照明器具６を十字方向に略水平にそれぞれ開いた状態にすることもできる。
この状態で、取っ手６４を掴んでＬＥＤ照明器具６を二軸ヒンジ３により回転して、各々のＬＥＤ照明６１をそれぞれ上側に向けた状態にすることもできる。
あるいは、各々のＬＥＤ照明６１を回転してそれぞれ任意の方向に向けた状態にすることもできる。
【００３２】
さらに、取っ手６４を掴んでＬＥＤ照明器具６を二軸ヒンジ３により起こして、図９に示すように、四枚のＬＥＤ照明器具６を上方にそれぞれ起こした状態にすることもできる。
この場合も、各々のＬＥＤ照明６１を回転してそれぞれ任意の方向に向けた状態にすることができる。
【００３３】
このように、ミニパワーステーションは、蓄電池Ｂを内蔵した支柱部１が持ち運び可能なため、小型で移動・設置が簡単に行える。
その上、支柱部１の周囲四方向にＬＥＤ照明器具６を備える照明装置として屋外・屋内でも使用・活用できる。
しかも、支柱部１に蓄電池Ｂを内蔵しているため、商用電力がない場所で利用することができる。
【００３４】
以上、実施形態のミニパワーステーションによれば、蓄電池Ｂを内蔵の支柱部１に対し二軸ヒンジ３を介して結合される電気器具装着部４に電源及び制御信号供給端子５を備えるため、小型で移動・設置が簡単であって、必要に応じてＬＥＤ照明器具６を簡単に着脱することができる。
【００３５】
そして、支柱部１に対し二軸ヒンジ３により電気器具装着部４及びＬＥＤ照明器具６を必要な方向に向けて、光の集中・拡散を容易に行うことができる。
【００３６】
また、図示しないソーラーパネル（太陽電池）を電気器具装着部４の電源及び制御信号供給端子５に接続して、支柱部１に内蔵した蓄電池Ｂを充電することも可能である。
【００３７】
（変形例）
以上の実施形態においては、電気器具装着部に装着する電気器具としてＬＥＤ照明器具としたが、本発明はこれに限定されるものではなく、他の照明器具、拡声装置（スピーカー）、サイン装置（ディスプレイ、文字情報表示器など）、シグナル装置（信号、警報など）、ソーラーパネル、カメラ等の他の電気器具であってもよい。
例えば、スピーカーを電気器具装着部に装着して、必要な方向に音域を広げたり、ディスプレイ、文字情報表示器などのサイン装置や、信号、警報などのシグナル装置を電気器具装着部に装着して、色々な方向に向けたり、ソーラーパネルを電気器具装着部に装着して、太陽の方向に向けることができる。
また、支柱部、二軸ヒンジ、電気器具装着部、電源及び制御信号供給端子、電気器具、及び電源及び制御信号入力端子の形状、二軸ヒンジ、電気器具装着部、電源及び制御信号供給端子、電気器具、及び電源及び制御信号入力端子の数等も任意であり、その他、具体的な細部構造等についても適宜に変更可能であることは勿論である。
【符号の説明】
【００３８】
１  支柱部
２  上蓋部
２ａ  上ケース
２ｂ  下ケース
３  二軸ヒンジ
３ａ  第一ヒンジ軸
３ｂ  第二ヒンジ軸
３ｃ  ヒンジケース
３ｄ  配線通し用開口部
４  電気器具装着部
４ａ  差し込み部
４ｂ  突出部
５  電源及び制御信号供給端子
６  照明器具（電気器具）
６ａ  差し込み穴
６ｂ  窪み部
７  電源及び制御信号入力端子
１１  台座
２１  電源供給端子
２２  ネジ穴
２３  メインスイッチ
２４  バッテリ残量インジケータ
４１  防水パッキン
６１  ＬＥＤ照明
６２  ロック解除ボタン
６３  オンオフスイッチ
６４  取っ手
Ｂ  電源（蓄電池）
【図１】
2018073604.tif 000003
【図２】
2018073604.tif 000004
【図３】
2018073604.tif 000005
【図４】
2018073604.tif 000006
【図５】
2018073604.tif 000007
【図６】
2018073604.tif 000008
【図７】
2018073604.tif 000009
【図８】
2018073604.tif 000010
【図９】
2018073604.tif 000011